(57)【要約】【課題】排水時にオーバーフロー排水路からの空気の巻き込みを防いで、排水時のゴボゴボ音の発生を無くすことのできる槽体の排水路構造を提供する。【解決手段】槽体４の底部４ａに上流側開口１ａを有する主排水路１と、槽体４の上縁近傍に上流側開口２ａを有するオーバーフロー排水路２との合流部Ｐの下流側にトラップ３ａを有する排水路構造において、合流部Ｐにおける主排水路１の下流側開口１ｄとオーバーフロー排水路２の下流側開口２ｅとが向き合って配置され、排水時に主排水路１からオーバーフロー排水路２内に排水を流し込み、オーバーフロー排水路２を塞いでオーバーフロー排水路２からの空気の巻き込みを防ぐ。【選択図】図１
2014105521.tif 000002
【特許請求の範囲】
【請求項１】
槽体の底部に上流側開口を有する主排水路と、槽体の上縁近傍に上流側開口を有するオーバーフロー排水路との合流部の下流側にトラップを有する槽体の排水路構造において、
前記合流部における前記主排水路の下流側開口と前記オーバーフロー排水路の下流側開口とが向き合って配置されている
ことを特徴とする槽体の排水路構造。
【請求項２】
前記オーバーフロー排水路の下流側開口面積は、前記主排水路の下流側開口面積と同一または小面積に設定されている
ことを特徴とする請求項１に記載の槽体の排水路構造。
【請求項３】
前記オーバーフロー排水路の下流側開口は、その内壁を主排水路の下流側開口に向かって延長させたときに、前記主排水路の下流側開口の内壁と一致するか又は主排水路の内壁内に収まるように配置されている
ことを特徴とする請求項１に記載の槽体の排水路構造。
【請求項４】
槽体の底部に上流側開口を有する主排水路と、槽体の上縁近傍に上流側開口を有するオーバーフロー排水路との合流部の下流側にトラップを有する槽体の排水路構造において、
前記合流部に対して前記主排水路の下流側開口は上方に配置され、前記オーバーフロー排水路の下流側開口は略水平方向に配置されているとともに、合流部の下流側の排水路は略水平方向に延びている
ことを特徴とする槽体の排水路構造。
【発明の詳細な説明】
【技術分野】
【０００１】
本発明は、洗面器，浴槽，シンク等の槽体における排水路構造に関するものである。
【背景技術】
【０００２】
従来、この種の排水路構造として、特許文献１に開示されているようなものがある。
この特許文献１に開示されている排水路構造では、洗面器の底側の排水口から主排水路が垂下状に設けられており、この主排水路に対し、洗面器のオーバーフロー口からのオーバーフロー排水路が横から合流したものとなっている。
【先行技術文献】
【特許文献】
【０００３】
【特許文献１】特開２００６−２６５９７８号公報
【発明の概要】
【発明が解決しようとする課題】
【０００４】
上記特許文献１に開示されているような排水路構造においては、洗面器内の水を主排水路から排水する時に、下流側でサイフォンが発生し、下流側の排水配管内が負圧になった場合に、オーバーフロー排水路から空気が引っ張られ、これによりゴボゴボという音が発生してしまい、使用者が不快に感じるという問題点があった。
また、排水後にはトラップ部の封水が減少してしまうという問題点もあった。
【課題を解決するための手段】
【０００５】
本発明は、排水時にゴボゴボ音が発生せず、不快感が生じない槽体の排水路構造の提供を目的とし、この目的の少なくとも一部を達成するために以下の手段を採った。
本発明は、槽体の底部に上流側開口を有する主排水路と、槽体の上縁近傍に上流側開口を有するオーバーフロー排水路との合流部の下流側にトラップを有する槽体の排水路構造において、前記合流部における前記主排水路の下流側開口と前記オーバーフロー排水路の下流側開口とが向き合って配置されていることを要旨とする。
【発明の効果】
【０００６】
本発明では、合流部における主排水路の下流側開口とオーバーフロー排水路の下流側開口とが向き合って配置されているため、排水時に、槽体からの排水が主排水路からオーバーフロー排水路内に流れ込んで、オーバーフロー排水路の下流側開口を塞ぐことができる。そのため、下流側のトラップでサイフォンが発生し排水配管内が負圧になった時にも、オーバーフロー排水路から空気が巻き込まれにくくなり、排水時のゴボゴボ音が発生せず排水音が静かなものとなり、不快感を感じることがない。
【０００７】
また、本発明の槽体の排水路構造において、前記オーバーフロー排水路の下流側開口面積は、前記主排水路の下流側開口面積と同一または小面積に設定されているものとすることもできる。
こうすれば、主排水路からの排水がオーバーフロー排水路内に流れ込んだとき、オーバーフロー排水路を確実に塞ぐことができて、オーバーフロー排水路から空気が巻き込まれにくくなり、ゴボゴボ音が発生しないものとなる。
【０００８】
また、本発明の槽体の排水路構造において、前記オーバーフロー排水路の下流側開口は、その内壁を主排水路の下流側開口に向かって延長させたときに、前記主排水路の下流側開口の内壁と一致するか又は主排水路の内壁内に収まるように配置されているものとすることもできる。
こうすれば、主排水路側からオーバーフロー排水路の下流側開口を通し確実にオーバーフロー排水路内に排水を流し込んで、オーバーフロー排水路を塞ぐことができ、排水時にゴボゴボ音が発生しないものとなる。
【０００９】
また、本発明は、槽体の底部に上流側開口を有する主排水路と、槽体の上縁近傍に上流側開口を有するオーバーフロー排水路との合流部の下流側にトラップを有する槽体の排水路構造において、
前記合流部に対して前記主排水路の下流側開口は上方に配置され、前記オーバーフロー排水路の下流側開口は略水平方向に配置されているとともに、合流部の下流側の排水路は略水平方向に延びていることを要旨とする。
このように構成することにより、主排水路からの排水の一部は、主排水路の下流側開口からオーバーフロー排水路の下流側開口へと流れ込み、オーバーフロー排水路の下流側開口を塞ぐことができ、これにより、排水時に、オーバーフロー排水路から空気が巻き込まれることが防がれ、排水時のゴボゴボ音が発生せず、排水音が静かなものとなる。
【図面の簡単な説明】
【００１０】
【図１】槽体の排水路構造の概略構成図である。
【図２】図１におけるＡ−Ａ線断面構成図である。
【図３】オーバーフロー排水路側の下流側開口面積が小面積である場合の槽体の排水路構造の概略構成図である。
【図４】図３のＢ−Ｂ線断面拡大構成図である。
【図５】主排水路の下流側開口とオーバーフロー排水路の下流側開口の位置がずれている場合の槽体の排水路構造の概略構成図である。
【図６】図５におけるＢ−Ｂ線断面拡大構成図である。
【図７】主排水路の下流側開口は上方に配置され、オーバーフロー排水路の下流側開口は略水平方向に配置され、合流部の下流側の排水路は略水平方向に延びている場合の槽体の排水路構造の概略構成図である。
【図８】排水路構造を形成する実際の構成部材の概略構成図である。
【図９】排水栓の縦断面構成図である。
【図１０】排水栓における栓本体，ヘアキャッチャー等の構成部材の分解斜視図である。
【図１１】排水栓の開栓状態の違う方向から見た縦断面構成図である。
【図１２】排水栓の閉栓状態の図１１に対応した縦断面構成図である。
【図１３】別例の槽体（洗面器）における排水栓の縦断面構成図である。
【発明を実施するための形態】
【００１１】
次に、本発明を実施するための形態を実施例を用いて説明する。
図１は、槽体の排水路構造を示す概略構成図である。
槽体４の底部４ａの中央部には排水口４ｂが開口形成されており、また、槽体４の上縁近傍にはオーバーフロー口４ｃが開口形成されている。
この槽体４の排水口４ｂには排水栓が設けられており、排水栓の栓本体１０により排水口４ｂが開閉される。なお、排水栓の構造については後述する。
【００１２】
槽体４の排水口４ｂから下方側へ垂下状に主排水路１が設けられている。この主排水路１は、排水口４ｂから真下に延びる垂直管部１ｂと、垂直管部１ｂの下端側で右方向へ水平に延びる水平管部１ｃで構成されており、垂直管部１ｂの上端が排水口４ｂと連通する上流側開口１ａとなっており、水平管部１ｃの右端側が下流側開口１ｄとなっている。
また、槽体４のオーバーフロー口４ｃから垂下状にオーバーフロー排水路２が設けられており、このオーバーフロー排水路２は、オーバーフロー口４ｃに接続される水平な接続管部２ｂと、接続管部２ｂの右端側から真下に延びる垂直管部２ｃと、垂直管部２ｃの下端から左方向に水平に延びる水平管部２ｄで構成されており、接続管部２ｂ側にオーバーフロー口４ｃと連通する上流側開口２ａが形成されており、水平管部２ｄの左端側に下流側開口２ｅが形成されている。
この主排水路１の下流側開口１ｄとオーバーフロー排水路２の下流側開口２ｅは同径に水平方向に連続して一体形成されて合流部Ｐとなっている。この合流部Ｐには、下方側へ延びる排水配管３が連通されており、排水配管３内の下流側には、Ｓ字状のトラップ３ａが形成されている。
【００１３】
なお、図２は、図１のＡ−Ａ線断面を示すものであり、主排水路１の水平管部１ｃとオーバーフロー排水路２の水平管部２ｄが、本例では実線で示すように同軸状に連続して形成されているが、主排水路の水平管部１ｃに対しオーバーフロー排水路２の水平管部２ｄは合流部Ｐにおいて、図２の破線で示すように、下流側開口１ｄと下流側開口２ｅが＋−４５度の角度範囲内で向き合って配置されているものであれば良く、好ましくは＋−３０度程度の角度で向き合って配置されているものであれば良い。
【００１４】
このような排水路構造においては、排水栓の栓本体１０が上昇して槽体４の排水口４ｂが開かれ、槽体４内の水が主排水路１内に排水される時に、下流側の排水配管３のトラップ３ａを通って落下する水により排水配管３内が負圧になると、オーバーフロー排水路２から空気を引き込もうとするが、本例では、主排水路１の水平管部１ｃからオーバーフロー排水路２の水平管部２ｄに向かい排水が流れ込むため、オーバーフロー排水路２の下流側開口２ｅをこの流れ込む排水により良好に塞ぐことができ、これによりオーバーフロー排水路２側から空気が巻き込まれにくくなり、排水時のゴボゴボ音が発生せず、静かな排水音が得られるものである。また、排水後にトラップ３ａの封水が減少してしまうようなこともない。
【００１５】
さらに本例では、主排水路１は垂直管部１ｂの下端から水平に折れ曲がって水平管部１ｃが形成されているため、この水平管部１ｃの外側下方部位には空間Ｓができ、この空間Ｓに後述する排水栓の第２磁石２０等の開閉機構を良好に設置できるものとなる。
また、更には、槽体４の底部４ａと、主排水路１の水平管部１ｃの底部間の上下高さ寸法Ｔを小さくできるため、排水口４ｂから入れた掃除用具が主排水路１の水平管部１ｃの底部まで容易に届くことになり、垂直管部１ｂおよび水平管部１ｃの底部の掃除がしやすくなり、また、下方側に形成されるキャビネットの収納空間を広く確保することができるものとなる。
【００１６】
次に、図３に示すものは、槽体の排水路構造の変形例である。
図３では、主排水路１の内径寸法よりもオーバーフロー排水路２の内径寸法を小径としたものである。
即ち、合流部Ｐにおける主排水路の下流側開口１ｄの開口面積に比べてオーバーフロー排水路２の下流側開口２ｅの開口面積が小面積に設定されている。
その他の構成は、図１のものと同様である。
【００１７】
なお、図４は、図３におけるＢ−Ｂ線断面拡大図であり、オーバーフロー排水路２の下流側開口２ｅの内壁２Ｗが、主排水路１の下流側開口１ｄの内壁１Ｗ内に収まるように配置されているのが良い。ここでは、主排水路１の下流側開口１ｄの内壁１Ｗ内の下方位置に図４における実線で示すようにオーバーフロー排水路の下流側開口２ｅが配置されている。
なお、図４における破線で示すように、主排水路１の下流側開口１ｄの内壁１Ｗ内の上方位置にオーバーフロー排水路の下流側開口２ｅの内壁２Ｗが配置されているものであっても良い。
【００１８】
このような排水路構造では、主排水路１側からの排水を合流部Ｐにおいて管径の細いオーバーフロー排水路２の下流側開口２ｅ内に確実に流し込むことができ、オーバーフロー排水路２の下流側開口２ｅを排水で確実に塞ぐことができるため、オーバーフロー排水路２から空気が巻き込まれることがなく、排水時にゴボゴボ音が発生するのを確実に防ぐことができるものとなる。
【００１９】
次に、図５で示すものは、槽体の排水路構造の更なる変形例である。
図５では、合流部Ｐにおいて、主排水路１の下流側開口１ｄとオーバーフロー排水路２の下流側開口２ｅの配置位置を上下にずらして配置させたものであり、図６にＢ−Ｂ線断面拡大図で示すように、主排水路の下流側開口１ｄの下方に一部を重なり合わせた状態でオーバーフロー排水路の下流側開口２ｅが配置されたものである。
【００２０】
この図６のＢ−Ｂ線断面拡大図で示すように、主排水路の下流側開口１ｄとオーバーフロー排水路の下流側開口２ｅとの間に重なり部分Ｋが存在すれば、この重なり部分Ｋを通し主排水路１側からの排水をオーバーフロー排水路２内に流し込み、オーバーフロー排水路２を良好に塞いでオーバーフロー排水路２からの空気の巻き込みを無くすることができ、排水時のゴボゴボ音の発生を防ぐことができるものである。
なお、この重なり部分Ｋは、主排水路の下流側開口１ｄの下部部位に存在するものであれば、良好にオーバーフロー排水路２内に排水が流れ込み、オーバーフロー排水路２が塞がれるものである。
同様に、主排水路１の下流側開口１ｄとオーバーフロー排水路２の下流側開口２ｅの配置位置を左右にずらして配置しても重なり部分Ｋが存在すれば、排水時のゴボゴボ音の発生を防ぐことができるものである。
【００２１】
次に、図７で示すものは、槽体の排水路構造の別パターンである。
この図７の槽体の排水路構造では、槽体４の排水口４ｂから垂下状に垂下管部のみからなる主排水路１が垂設されており、この主排水路１の上端の上流側開口１ａが排水口４ｂに連通し、主排水路１の下端側の下流側開口１ｄの下方に合流部Ｐが形成されている。
オーバーフロー排水路２は、槽体４のオーバーフロー口４ｃに連通する上流側開口２ａを有する接続管部２ｂと、接続管部２ｂから垂下状に延びる垂直管部２ｃと、垂直管部２ｃの下端から右方に水平に延びる水平管部２ｄで構成されており、合流部Ｐに対してこの水平管部２ｄが水平方向から接続しており、合流部Ｐの下流側の水平管部３ｂの右端側にトラップ３ａを有する排水配管３が連通されている。即ち、合流部Ｐに対して主排水路１の下流側開口１ｄは上方に配置され、オーバーフロー排水路２の下流側開口２ｅは略水平方向に配置されているとともに、合流部Ｐの下流側の排水路（水平管部３ｂ）は略水平方向に延びている構成となっている。
【００２２】
このような排水路構造では、排水時に排水栓の栓本体１０が上昇し、排水口４ｂが開かれると、主排水路１内に排水が流下し、合流部Ｐで排水は水平方向左右に流れることとなる。
即ち、主排水路１から流れ落ちる排水は、水平管部３ｂ側の右方向に流れるとともに、オーバーフロー排水路２の水平管部２ｄ内を左方向にも一部が流れ、これによりオーバーフロー排水路２の下流側開口２ｅは流れ込んだ排水により塞がれることとなる。
従って、排水時にオーバーフロー排水路２から空気が巻き込まれにくくなり、ゴボゴボ音の発生が防がれるものとなる。
【００２３】
次に、上記した排水路構造を形成する実際の構成部材および排水栓の構成部材について、図８〜図１３において詳細に説明する。
図８は、排水栓を取り付けた槽体（洗面器）の断面構成図である。
槽体（洗面器）４の底部４ａには排水口４ｂが形成されており、この排水口４ｂには、排水口４ｂを開閉する排水栓５が取り付けられている。この排水栓５から延びるオーバーフローホース接続エルボ２７（オーバーフロー排水路２の水平管部２ｄ）には、洗面器４に形成されているオーバーフロー口４ｃに接続されたオーバーフローホース２８（オーバーフロー排水路２）が接続され、オーバーフロー水がこのオーバーフローホース２８を通り、トラップ管接続部１４ａを通って、下方側へ延びるトラップ３ａを有する排水配管３へ流される。
【００２４】
排水栓５は、図９に縦断面拡大図で示すような構造となっている。
この排水栓５は、洗面器４の排水口４ｂの上方から排水管７（主排水路１）を差し込み、この排水管７に対し洗面器４の下方側から固定ナット８を締め付けて、洗面器４に固定状に取り付けられるものである。
固定ナット８の外周には、袋ナットで構成される接続ナット１２が下方側から締め付けられ、この接続ナット１２を介して排水管７の下方に連続状に排水Ｌ管１４（主排水路１）が接続されるものであり、本例の排水Ｌ管１４は、分岐状に垂下するトラップ管接続部１４ａ（排水配管３の一部）を備え、このトラップ管接続部１４ａにトラップ３ａを有する排水配管３が接続されるものである。
【００２５】
また、トラップ管接続部１４ａの分岐部から図示右方向に延びた部分に平パッキンを介在させて袋ナット２６を締め付けて、オーバーフロー接続エルボ２７（オーバーフロー排水路２の水平管部２ｄ）を取り付けできるように構成されている。このとき、オーバーフロー接続エルボ２７（オーバーフロー排水路２の水平管部２ｄ）の下流側開口２ｅと排水Ｌ管１４（主排水路１）の下流側開口１ｄとが向き合って配置されていることにより、洗面器４からの排水が排水栓５を通りオーバーフロー接続エルボ２７（オーバーフロー排水路２の水平管部２ｄ）へ流れ込みオーバーフロー排水路２を塞ぐため、オーバーフローホース２８からの空気が巻き込まれ難くなり、排水時の異音（ゴボゴボ音）が発生しないことで、排水音が静かになる。
【００２６】
なお、前記固定ナット８を締め付ける際に、固定ナット８と洗面器４の下端間には平パッキンが設けられ、また、固定ナット８の下端と排水Ｌ管１４との当接部には平パッキンと固定リングが介在されるものである。
この排水栓５の排水管７（主排水路１）内に縦方向に配置されるロッド９の上端には、排水口４ｂを開閉する栓本体１０が設けられており、栓本体１０の下端外周にはパッキン１１が設けられている。
なお、この栓本体１０はロッド９から着脱させることができるものである。
ロッド９の下端には固定部材１５を介して第１磁石１６が取り付けられている。この第１磁石１６は、本例では永久磁石であるネオジム磁石を用いており、上側がＮ極、下側がＳ極となっている。
【００２７】
また、本例では、栓本体１０の直下の排水管７（主排水路１）内にヘアキャッチャー３０が配設されている。
図１０の分解図で示すように、このヘアキャッチャー３０には水が通る多数の通し孔が形成されていることにより、通水面積が狭められヘアキャッチャー３０を通過する水に抵抗が生ずるように構成されており、このヘアキャッチャー３０が排水管７（主排水路１）内の栓本体１０の直下に配置されることにより、排水管７（主排水路１）内の流路面積が狭められるように構成されている。
【００２８】
なお、ヘアキャッチャー３０の中心部にはロッド９が遊挿されており、ロッド９が上下動しても、ヘアキャッチャー３０は何ら上下動することなく、排水管７の所定位置に固定状態で保持されるものである。
なお、ロッド９の下端側にはバランサー３１が取り付けられており、このバランサー３１の下方のロッド９の下端位置に、磁石用パッキン３２を介在させて第１磁石１６が配置され、第１磁石１６は固定部材１５によりロッド９の下端側に固定保持されている。
【００２９】
一方、第１磁石１６の下方の排水Ｌ管１４（主排水路１の水平管部１ｃ）の外側には、磁石ホルダ１９に保持されて第２磁石２０が設けられている。第２磁石２０が磁石ホルダ１９から外れると排水栓が閉まった状態で固着してしまうため、第２磁石２０が外れないように接着やツメ嵌合で固定してある。
この第２磁石２０も永久磁石であるネオジム磁石を用いており、図９で上側がＳ極、下側がＮ極となるように構成されている。第２磁石２０と磁石ホルダ１９を組み立てる際にＮ極とＳ極を逆にすると、排水栓が閉まった状態で固着してしまうため、Ｓ極側に色をつけると良い。
【００３０】
図１１は、違う方向から見た排水栓５の縦断面構成図であり、栓本体１０が開いた状態を示している。また、図１２は、栓本体１０が排水口４ｂを閉ざした状態を示している。
図示しない洗面台に設けられた操作部２４が操作されることで、ワイヤー２３を介して図１１のように、ピストン２１が図示左方向に移動し、これにより、軸１８を中心として磁石ホルダ１９が上方へ回転し、磁石ホルダ１９に強固に取り付けられている第２磁石２０が第１磁石１６に近づけられることにより、両者に反発力が生じて、ロッド９が上昇し、排水口４ｂを開けることができる。
【００３１】
また、図１２のように、ワイヤー２３を介してピストン２１が図示右方向へ移動されると、軸１８を中心として磁石ホルダ１９が垂下状態に下降し、第２磁石２０が第１磁石１６から離れるため、この場合はロッド９が自重により下降し、これにより排水栓の栓本体１０が排水口４ｂに当接されて、排水口４ｂが閉ざされるものである。
【００３２】
逆に、図１２の閉栓状態から図１１の開栓状態に至る過程の作用について更に詳しく説明すると、図１２の閉栓状態において、栓本体１０を閉じて洗面器４に水を溜めた時には、溜めた水の水頭圧により、下向きの力が栓本体１０の上面に掛かっている。この状態で操作部２４を操作して、図１１のように、第２磁石２０を第１磁石１６の下方に配置させると、水頭圧に勝る磁石の反発力によりロッド９が上昇され、栓本体１０が少し開くこととなる。
この状態では、洗面器４に溜めてあった水が排水口４ｂから排水管７（主排水路１）内に流下し、排水Ｌ管１４（主排水路１）のトラップ管接続部１４ａ（排水配管３の一部）側へ流れ始めるが、ロッド９が上昇した分、第１磁石１６の位置も上昇しており、第１磁石１６と第２磁石２０間の距離が大きくなってしまうため、磁石の反発力は小さいものとなり、そのため、栓本体１０は開きにくい状態となる。
【００３３】
しかし本例では、排水管７（主排水路１）内に排水管内の流路面積を狭めるヘアキャッチャー３０が配置されており、排水口４ｂから排水管７（主排水路１）内に流下する水は、ヘアキャッチャー３０により抵抗を受け、排水管７（主排水路１）内の圧力が高まることとなり、排水管７（主排水路１）内の圧力が高まると、栓本体１０の下面に上向きの力が作用し、この上向きの力が洗面器４に溜められた水の水頭圧による下向きの力と相殺されることとなり、栓本体１０を下向きに押す力が弱まり、これにより磁石１６，２０間の反発力により更にロッド９が上昇して、栓本体１０が大きく開かれることとなり、栓本体１０のリフトアップ量が大となって、その後、磁石１６，２０間の距離が更に大きくなることにより、この磁石１６，２０間の反発力と栓本体１０の上面に掛かる下向きの力とが同じになった状態でロッド９の上昇が止まることとなる。
【００３４】
このように本例では、ヘアキャッチャー３０を排水管７（主排水路１）内に配置して、排水管７（主排水路１）内の流路面積を狭めたものであり、また、このヘアキャッチャー３０はロッド９と何ら連結されていないために、ヘアキャッチャー３０に下向きの力が掛かった時にもロッド９には下向きの力が掛かることはない。即ち、ヘアキャッチャー３０は、ロッド９，栓本体１０の開閉動作に対して独立して配置されているものであり、このようにヘアキャッチャー３０を排水管７内に設けることで、反発力が小さい磁石１６，２０であっても栓本体１０のリフトアップ量を十分確保することができ、これにより洗面器４内に溜めた水等の排水時間を短くすることができ、また、磁石１６，２０は反発力をさほど大きくする必要がないため操作荷重も大きくなることはなく、スムーズに操作して十分な栓本体１０のリフトアップ量を確保でき、排水時間を短縮させることができるものである。
なお、ロッド９の上下移動方向とピストン２１の左右移動方向は直交状であるため、ロッド９が下降しようとする力がピストン２１に押し戻し力として作用することはない。
【００３５】
次に、図１３では別例の槽体（洗面器）における排水栓の縦断面を示す。
この図１３では、洗面器４の排水口４ｂの下から排水管７（主排水路１）を当接させて、スポンジテープ３４およびブチルテープ３５を介在させて洗面器４と排水管７（主排水路１）間の水密性を確保し、下からビスで洗面器４に排水管７（主排水路１）を取り付ける構成のものである。
この排水管７（主排水路１）内にも、排水管７（主排水路１）内の流路面積を狭めるヘアキャッチャー３０がロッド９の上下動と独立して固定状に配設されており、ロッド９の下端には第１磁石１６が設けられている。また、排水管７（主排水路１）の下方に接続ナット１２を締め付けて連続状に排水Ｌ管１４（主排水路１）が接続されており、排水Ｌ管１４（主排水路１）の分岐したトラップ管接続部１４ａ（排水配管３の一部）の図示右側にはオーバーフロー接続継手３６（オーバーフロー排水路２の水平管部２ｄ）が袋ナット２６を締め付けて接続されている。
【００３６】
図１３においても、排水Ｌ管１４（主排水路１の水平管部１ｃ）の外側の下方に、軸１８を介して回動する第２磁石２０を固定した磁石ホルダ１９が設けられ、この磁石ホルダ１９は、水平方向に移動するピストン２１により回動操作されるものであり、前記図１１および図１２で示したものと同様な開弁時の作用が行われる。
即ち、洗面器４内に水を溜めた状態で、第２磁石２０が第１磁石１６に近づけられると、ロッド９が上昇して栓本体１０が少し上昇した時に、溜められた水が排水管７（主排水路１）内に流下し、流下する水がヘアキャッチャー３０により抵抗を受けて排水管７（主排水路１）内の圧力が高まり、これにより栓本体１０の下面に上向きの力が作用して、栓本体１０が上昇し、栓本体１０が更に開かれて排水を速めることができるものである。従って、磁石１６，２０に反発力の小さいものを用いても良好に栓本体１０のリフトアップ量を確保することができ、操作荷重も小さくなり、スムーズな開閉操作が可能となる。
【符号の説明】
【００３７】
１  主排水路
１ａ  上流側開口
１ｂ  垂直管部
１ｃ  水平管部
１ｄ  下流側開口
１Ｗ，２Ｗ  内壁
２  オーバーフロー排水路
２ａ  上流側開口
２ｂ  接続管部
２ｃ  垂直管部
２ｄ  水平管部
２ｅ  下流側開口
３  排水配管
３ａ  トラップ
３ｂ  水平管部
４  槽体（洗面器）
Ｐ  合流部
Ｓ  空間
４ａ  底部
４ｂ  排水口
５  排水栓
７  排水管（主排水路１）
９  ロッド
１０  栓本体
１４  排水Ｌ管（主排水路１）
１４ａ  トラップ管接続部（排水配管３の一部）
１５  固定部材
１６  第１磁石
１６ａ  Ｓ極
１６ｂ  Ｎ極
１７  駆動部ケース
１８  軸
１９  磁石ホルダ
１９ａ  ピニオンギヤ
２０  第２磁石
２０ａ  Ｓ極
２０ｂ  Ｎ極
２１  ピストン
２１ａ  ラックギヤ
２３  ワイヤー
２４  操作部
２７  オーバーフローホース接続エルボ（オーバーフロー排水路２の水平管部２ｄ）
２８  オーバーフローホース（オーバーフロー排水路２）
３０  ヘアキャッチャー
３６  オーバーフロー接続継手（オーバーフロー排水路２の水平管部２ｄ）
【図１】
2014105521.tif 000003
【図２】
2014105521.tif 000004
【図３】
2014105521.tif 000005
【図４】
2014105521.tif 000006
【図５】
2014105521.tif 000007
【図６】
2014105521.tif 000008
【図７】
2014105521.tif 000009
【図８】
2014105521.tif 000010
【図９】
2014105521.tif 000011
【図１０】
2014105521.tif 000012
【図１１】
2014105521.tif 000013
【図１２】
2014105521.tif 000014
【図１３】
2014105521.tif 000015